(57)【特許請求の範囲】
【請求項１】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、結合されたジョブの出力実行中は、前記画像面付け処理による複数のジョブの結合は行わず、結合されたジョブのうちの何れかのジョブの出力が終了するタイミングに応じて、出力途中の先のジョブと、画像面付けが行われていない後のジョブとの間で前記面付け処理を行って新規に結合されたジョブとして画像面付けを行うことを特徴とする画像形成装置。
【請求項２】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数ジョブに対する前記画像面付け処理で、複数ジョブ間で副走査方向の原稿サイズが異なる場合、副走査方向の原稿サイズが大きいジョブに対して、白紙領域に副走査方向の原稿サイズが小さいジョブの画像を複数個配置できるかを判定し、前記判定で配置可能とされた個数分だけ、副走査方向の原稿サイズが小さいジョブの前記画像を前記白紙領域の副走査方向に並べて配置し、副走査方向の画像サイズが大きい前記ジョブと副走査方向の画像サイズが小さい前記ジョブを、一つのジョブとして結合することを特徴とする画像形成装置。
【請求項３】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、結合したジョブの画面面付け配置のときに、面付け時に主走査方向における白紙領域のサイズより、面付け後の原稿サイズの長辺サイズが大きい場合は、前記原稿サイズの短辺サイズが出力紙の主走査方向に沿うように面付け配置し、面付け時に配置可能な主走査における白紙領域のサイズが、面付け後の原稿サイズの長辺サイズと等しい、又は面付け後の原稿サイズの長辺サイズよりも小さい場合は、前記原稿サイズの長辺サイズが出力時の主走査方向に沿うように面付け配置して、ジョブを結合することを特徴とする画像形成装置。
【請求項４】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする画像形成装置。
【請求項５】
操作者の操作入力を受け付ける操作部を有し、
前記操作部は前記制御部に制御可能に接続されており、
前記制御部は、前記操作部に、複数ジョブを結合する前記画像面付けの処理に関する設定を行う設定画面を操作入力可能に表示することを特徴とする請求項１〜４のいずれか１項に記載の画像形成装置。
【請求項６】
前記制御部は、前記操作部に、複数ジョブを結合する前記画像面付け処理を実施するかを設定する操作画面を表示することを特徴とする請求項５記載の画像形成装置。
【請求項７】
前記制御部は、前記操作部に、複数ジョブを結合する前記画像面付け処理において結合するジョブの数を設定する設定画面を表示することを特徴とする請求項５または６に記載の画像形成装置。
【請求項８】
前記制御部は、前記操作部に、副走査方向の原稿サイズが異なるジョブの結合を実施するか否かを設定する設定画面を表示することを特徴とする請求項５〜７のいずれか１項に記載の画像形成装置。
【請求項９】
前記制御部は、前記操作部に、複数ジョブを結合する前記画像面付け処理に際し、画像の回転処理を実施するか否かを設定する設定画面を表示することを特徴とする請求項５〜８のいずれか１項に記載の画像形成装置。
【請求項１０】
前記制御部は、前記操作部に、複数ジョブを結合する前記画像面付け処理に際し、結合ジョブの断裁位置を考慮した面付け配置を実施するか否かを設定する設定画面を表示することを特徴とする請求項５〜９のいずれか１項に記載の画像形成装置。
【請求項１１】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
操作者の操作入力を受け付ける操作部を有し、
前記操作部は前記制御部に制御可能に接続されており、
前記制御部は、前記操作部に、複数ジョブを結合する前記画像面付け処理を実行するタイミングを設定する設定画面を表示することを特徴とする画像形成装置。
【請求項１２】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする画像形成装置。
【請求項１３】
前記制御部は、複数のジョブを結合した前記画像面付け処理後の主走査方向の白紙領域のサイズが、後のジョブの原稿サイズより小さくなるまで繰り返して前記ジョブの結合を実施することを特徴とする請求項１〜１２のいずれか１項に記載の画像形成装置。
【請求項１４】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする画像形成システム。
【請求項１５】
ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする画像形成システム。
【請求項１６】
画像形成部によって連続紙上に画像を印刷実行する制御を行う制御部を備え、
前記制御部は、画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする画像形成制御装置。
【請求項１７】
画像形成部によって連続紙上に画像を印刷実行する制御を行う制御部を備え、
前記制御部は、画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする画像形成制御装置。
【請求項１８】
ジョブを用意する工程と、
用意された複数ジョブの出力指示がされた場合、印刷で使用する画像の原稿サイズと印刷がされる連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けする工程と、複数のジョブを結合した結合ジョブ単位を繰り返し出力する工程と、を有することを特徴とする画像形成方法。
【請求項１９】
ジョブを用意する工程と、
用意された複数ジョブの出力指示がされた場合、印刷で使用する画像の原稿サイズと印刷がされる連続紙の印刷可能サイズ情報とに基づいて、少なくとも、先のジョブの画像面付け完了後の主走査方向における白紙領域のサイズが、後のジョブの原稿サイズより大きいときは、用紙の断裁位置に合わせて前記白紙領域に前記後のジョブの画像を配置するように前記先のジョブと前記後のジョブとを結合して一つのジョブとして画像面付けする工程と、を有することを特徴とする画像形成方法。
【発明の詳細な説明】
【技術分野】
【０００１】
この発明は、連続紙にジョブの画像を面付けして出力することを可能にする画像形成装置、画像形成システム、画像形成制御装置および画像形成方法に関するものである。
【背景技術】
【０００２】
画像形成装置では、例えばロール紙などの連続紙を用いて印刷を行うものが提案されている。このような連続紙を用いる画像形成装置では、画像形成部において、原稿に対応した潜像を感光体に形成し、この潜像にトナーを付与することによって顕像化し、この顕像化されたトナー像を用紙に転写している。この後、用紙のトナー像を定着部で定着して排紙している。
連続紙に画像を印刷する場合、ロール紙などは例えば、副走査方向サイズが数１００ｍという無限長であり、出力ページの副走査方向は０ｍｍまたは僅かな間隔で処理される。そのため受信した画像データーをそのまま出力すると、出力ページに対して白紙画像領域が大きいまま出力がされてしまう。白紙原稿領域は無駄になるためできるだけ小さくしたいという要望がある。
【０００３】
図２５は、連続紙Ｓにジョブの原稿における画像Ｇ、Ｇ、…、Ｇをそのまま配置する状態を示している。連続紙Ｓでは、原稿サイズ以外の白紙画像領域Ｗ１、Ｗ２が主走査方向の両側に大きく残り、無駄の多い出力になっている。
【０００４】
このような要望に対し、特許文献１では、大判用紙向けプリンターにセットされているロール紙などのメディアに対して、画像データーを出力する際に、実際にプリンターにセットされている紙幅サイズを取得し、画像データーをそのサイズに収まる場合に画像を回転させる装置が提案されている。図２６では、図２５に示す画像Ｇに対し、線幅と画像サイズを比較して線幅に収まるものとして、画像Ｇ、Ｇ、Ｇ、…を回転配置した状態を示しており、白紙画像領域を削減することが可能になる。
【０００５】
また、特許文献２では、画像形成部により、ロール紙の幅方向に複数の画像を並べて形成し、切断部により各画像毎に切り離して複数の印刷物を得ており、予め、並べて形成する画像の数および向きを指定することにより、各画像のサイズが決定し、すなわちロール紙の送り量および切断位置の少なくとも一方が決められ、それに基づいて画像形成および切断が行われる装置が提案されている。
上記により配置された連続紙Ｓを図２７に示す。原稿サイズの小さい画像ＧＡ、ＧＡ…ＧＡは、３個を主走査方向に並べ、原稿サイズの大きい画像ＧＢ、ＧＢ…ＧＢは、２個を主走査方向に並べて白紙画像領域の削減を図っている。
【０００６】
さらに、特許文献３では、複数の画像を、ロール紙等の長尺な用紙の端に寄せて副走査方向に並べて配置し、続いて、ある画像が用紙の幅からはみ出してしまった時点で、すでに配置されている画像の長さに合わせてロール紙の切断位置を決定し、さらに、配置されている複数の画像の余白に、新たな別の画像を配置することによって、用紙を有効に利用することができる画像配置プログラムが提案されている。
図２８は、原稿サイズの異なるＧＣ０、ＧＣ１、ＧＣ２、ＧＣ３、ＧＣ４を用紙の主走査方向端に並べ、配置されている複数の画像の余白Ｗに、新たな別の画像を、配置可能かを判断して配置している。これにより白紙画像領域の削減が可能になる。
【先行技術文献】
【特許文献】
【０００７】
【特許文献１】特開２００５−２３１１５４号公報
【特許文献２】特開２００２−１３７４８３号公報
【特許文献３】特開２００５−０４７１３７号公報
【発明の概要】
【発明が解決しようとする課題】
【０００８】
しかし、特許文献１では、画像サイズに収まる場合に回転させることのみが記載されており、回転後の余白部分を有効活用するものではない。すなわち、理想的な配置状態が必ずしも得られるものではなく、主走査方向に対し実際の画像の原稿サイズが小さい場合、図２９に示すように、画像Ｇ、Ｇ、Ｇを回転させたとしても、白紙画像領域Ｗ０、Ｗ１は、白紙画像領域ｗ０、ｗ１に低減させるものの、相変わらず画像領域が大きく残ってしまい、用紙節約において十分な改善効果が得られない。
【０００９】
また、特許文献２では、ジョブに大きさの異なる画像が複数あるとは限らず、また、図３０に示すように、画像の組み合わせＧＡとＧＢによっては、十分に白紙画像領域を低減できず、白紙画像領域Ｗ０、Ｗ１、ｗ０、ｗ１が残ってしまう。
また、特許文献３に示す例では、一つのＪＯＢを配置する毎に、画像（ＧＣ０−ＧＣ９）の配置場所の計算処理が動作するため、連続紙を排紙しながら画像データーを受信した場合、画像データーの配置計算処理遅延により、図３１に示すように、連続紙の副走査方向に間隔ＳＰが空いてしまう課題が発生する。
【００１０】
本願発明は上記事情を背景としてなされたものであり、連続紙に画像を印刷する際に、白紙画像領域を効果的に低減して無駄の少ない出力を可能にする画像形成装置、画像形成システム、画像形成制御装置および画像形成方法を提供することを目的とする。
【課題を解決するための手段】
【００１１】
すなわち、本発明の画像形成装置のうち、第１の形態は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、結合されたジョブの出力実行中は、前記画像面付け処理による複数のジョブの結合は行わず、結合されたジョブのうちの何れかのジョブの出力が終了するタイミングに応じて、出力途中の先のジョブと、画像面付けが行われていない後のジョブとの間で前記面付け処理を行って新規に結合されたジョブとして画像面付けを行うことを特徴とする。
【００１４】
他の形態の画像形成装置の本発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数ジョブに対する前記画像面付け処理で、複数ジョブ間で副走査方向の原稿サイズが異なる場合、副走査方向の原稿サイズが大きいジョブに対して、白紙領域に副走査方向の原稿サイズが小さいジョブの画像を複数個配置できるかを判定し、前記判定で配置可能とされた個数分だけ、副走査方向の原稿サイズが小さいジョブの前記画像を前記白紙領域の副走査方向に並べて配置し、副走査方向の画像サイズが大きい前記ジョブと副走査方向の画像サイズが小さい前記ジョブを、一つのジョブとして結合することを特徴とする。
【００１５】
他の形態の画像形成装置の本発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、結合したジョブの画面面付け配置のときに、面付け時に主走査方向における白紙領域のサイズより、面付け後の原稿サイズの長辺サイズが大きい場合は、前記原稿サイズの短辺サイズが出力紙の主走査方向に沿うように面付け配置し、面付け時に配置可能な主走査における白紙領域のサイズが、面付け後の原稿サイズの長辺サイズと等しい、又は面付け後の原稿サイズの長辺サイズよりも小さい場合は、前記原稿サイズの長辺サイズが出力時の主走査方向に沿うように面付け配置して、ジョブを結合することを特徴とする。
【００１６】
他の形態の画像形成装置の本発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする。
【００１７】
さらに他の形態の画像形成装置は、本発明の画像形成装置において、操作者の操作入力を受け付ける操作部を有し、前記操作部は前記制御部に制御可能に接続されており、前記制御部は、前記操作部に、複数ジョブを結合する前記画像面付けの処理に関する設定を行う設定画面を操作入力可能に表示することを特徴とする。
【００１８】
さらに他の形態の画像形成装置は、本発明の画像形成装置において、前記制御部は、前記操作部に、複数ジョブを結合する前記画像面付け処理を実施するかを設定する操作画面を表示することを特徴とする前記７記載の画像形成装置。
【００１９】
さらに他の形態の画像形成装置は、本発明の画像形成装置において、前記制御部は、前記操作部に、複数ジョブを結合する前記画像面付け処理において結合するジョブの数を設定する設定画面を表示することを特徴とする。
【００２０】
さらに他の形態の画像形成装置は、本発明の画像形成装置において、前記制御部は、前記操作部に、複数ジョブを結合する前記画像面付け処理を実行するタイミングを設定する設定画面を表示することを特徴とする。
【００２１】
さらに他の形態の画像形成装置は、本発明の画像形成装置において、前記制御部は、前記操作部に、副走査方向の原稿サイズが異なるジョブの結合を実施するか否かを設定する設定画面を表示することを特徴とする。
【００２２】
さらに他の形態の画像形成装置は、本発明の画像形成装置において、前記制御部は、前記操作部に、複数ジョブを結合する前記画像面付け処理に際し、画像の回転処理を実施するか否かを設定する設定画面を表示することを特徴とする。
【００２３】
さらに他の形態の画像形成装置は、本発明の画像形成装置において、前記制御部は、前記操作部に、複数ジョブを結合する前記画像面付け処理に際し、結合ジョブの断裁位置を考慮した面付け配置を実施するか否かを設定する設定画面を表示することを特徴とする。
【００２４】
他の形態の画像形成装置の本発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
操作者の操作入力を受け付ける操作部を有し、
前記操作部は前記制御部に制御可能に接続されており、
前記制御部は、前記操作部に、複数ジョブを結合する前記画像面付け処理を実行するタイミングを設定する設定画面を表示することを特徴とする。
他の形態の画像形成装置の本発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする。
さらに他の形態の画像形成装置は、本発明の画像形成装置において、前記制御部は、複数のジョブを結合した前記画像面付け処理後の主走査方向の白紙領域のサイズが、後のジョブの原稿サイズより小さくなるまで繰り返して前記ジョブの結合を実施することを特徴とする。
【００２５】
本発明の画像形成システムのうち、第１の形態は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする。
他の形態の画像形成システムの発明は、ジョブの画像データーに基づいて連続紙上に画像を形成する画像形成部と、
前記画像形成部によって前記連続紙上に前記画像を印刷実行する制御を行う制御部と、を備え、
前記制御部は、前記画像データーの画像面付け処理機能を有し、前記画像面付け処理では、複数ジョブの出力指示がされた場合、印刷で使用する画像の原稿サイズと連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする。
【００２９】
本発明の画像形成制御装置のうち第１の形態は、画像形成部によって連続紙上に画像を印刷実行する制御を行う制御部を備え、
前記制御部は、画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、複数のジョブを結合した結合ジョブ単位を繰り返し出力する機能を有することを特徴とする。
他の形態の画像形成制御装置の本発明は、画像形成部によって連続紙上に画像を印刷実行する制御を行う制御部を備え、
前記制御部は、画像データーの画像面付け処理機能を有し、前記画像面付け処理では、複数ジョブの出力指示がされた場合、印刷で使用する画像の原稿サイズと前記連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けを行い、
前記制御部は、用紙の断裁位置に合わせて前記画像面付け処理を行うことを特徴とする。
【００３０】
本発明の画像形成方法のうち、第１の形態は、ジョブを用意する工程と、
用意された複数ジョブの出力指示がされた場合、印刷で使用する画像の原稿サイズと印刷がされる連続紙の印刷可能サイズ情報とに基づいて、少なくとも、先のジョブの画像面付け完了後の主走査方向における白紙領域のサイズが、後のジョブの原稿サイズより大きいときは、前記白紙領域に前記後のジョブの画像を配置するように前記先のジョブと前記後のジョブとを結合して一つのジョブとして画像面付けする工程と、複数のジョブを結合した結合ジョブ単位を繰り返し出力する工程と、を有することを特徴とする。
他の形態の画像形成方法の本発明は、ジョブを用意する工程と、
用意された複数ジョブの出力指示がされた場合、印刷で使用する画像の原稿サイズと印刷がされる連続紙の印刷可能サイズ情報とに基づいて、少なくとも、先のジョブの画像面付け完了後の主走査方向における白紙領域のサイズが、後のジョブの原稿サイズより大きいときは、用紙の断裁位置に合わせて前記白紙領域に前記後のジョブの画像を配置するように前記先のジョブと前記後のジョブとを結合して一つのジョブとして画像面付けする工程と、を有することを特徴とする。
【発明の効果】
【００３４】
以上説明したように、本発明によれば、連続紙に画像を印刷する際に、複数のジョブを用いて白紙画像領域を効果的に低減して無駄の少ない出力を可能にする。
【図面の簡単な説明】
【００３５】
【図１】本発明の一実施形態の画像形成装置および画像形成システムの機械的な構成を示す概略図である。
【図２】同じく、画像形成装置および画像形成システムの制御ブロックを示す図である。
【図３】同じく、二つのジョブを用いた画像面付け処理の手順を示すフローチャートである。
【図４】同じく、図３のフローチャートに応じた画像配置例を示す図である。
【図５】同じく、全てのジョブを用いた画像面付け処理の手順を示すフローチャートである。
【図６】同じく、図５のフローチャートに応じた画像配置例を示す図である。
【図７】同じく、新規ジョブを受信した際に、いずれかのジョブ出力を待ってジョブ結合を行う手順を示すフローチャートである。
【図８】同じく、図７のフローチャートに応じた画像配置例を示す図である。
【図９】同じく、副走査方向の余白画像領域に画像面付けを行う手順を示すフローチャートである。
【図１０】同じく、図９のフローチャートに応じた画像配置例を示す図である。
【図１１】同じく、画像の回転を伴う画像面付けを行う手順を示すフローチャートである。
【図１２】同じく、図１１のフローチャートに応じた画像配置例を示す図である。
【図１３】同じく、主走査方向の断裁位置に応じて画像面付けを行う手順を示すフローチャートである。
【図１４】同じく、図１３のフローチャートに応じた画像配置例を示す図である。
【図１５】同じく、受信したジョブの結合ジョブ作成方法を設定する画面を示す図である。
【図１６】同じく、図１５の設定画面に応じた画像配置例を示す図である。
【図１７】同じく、新規受信ジョブの結合ジョブを作成するタイミングを設定する画面を示す図である。
【図１８】同じく、図１７の設定画面に応じた画像配置例を示す図である。
【図１９】同じく、異なる副走査サイズの画像面付け配置の結合ジョブ作成方法を設定する画面を示す図である。
【図２０】同じく、図１９の設定画面に応じた画像配置例を示す図である。
【図２１】同じく、画像回転制御を行う画像面付け配置の結合ジョブ作成方法を設定する画面を示す図である。
【図２２】同じく、図２１の設定画面に応じた画像配置例を示す図である。
【図２３】同じく、主走査方向の断裁位置による画像面付け制御方法を設定する画面を示す図である。
【図２４】同じく、図２３の設定画面に応じた画像配置例を示す図である。
【図２５】従来の画像面付け方法による画像配置例を示す図である。
【図２６】特許文献１に記載された画像面付け方法による画像配置例を示す図である。
【図２７】特許文献２に記載された画像面付け方法による画像配置例を示す図である。
【図２８】特許文献３に記載された画像面付け方法による画像配置例を示す図である。
【図２９】特許文献１の方法で、課題が生じた画像配置例を示す図である。
【図３０】特許文献２の方法で、課題が生じた画像配置例を示す図である。
【図３１】特許文献３の方法で、課題が生じた画像配置例を示す図である。
【発明を実施するための形態】
【００３６】
以下に、本発明の一実施形態を添付図面に基づき説明する。
図１は、本発明の一実施形態における画像形成システムを示すものである。
画像形成システム１は、画像形成装置本体１Ａを備え、画像形成装置本体１Ａの前段側にはカット部４００が接続され、その前段側に給紙調整部３００、給紙部２００がこの順で接続されている。画像形成装置本体１Ａは本発明の画像形成装置に相当する。
なお、この実施形態では、画像形成装置本体１Ａと、画像形成装置本体１Ａに接続された図１に示した装置とによって画像形成システム１が構成されているものとして説明したが、画像形成装置本体１Ａに接続される装置の種別や数が特に限定されるものではない。また、画像形成装置本体１Ａと、その他の装置によって画像形成装置が構成されているものであってもよい。
【００３７】
給紙部２００は、連続用紙としてのロール紙を収納、保持し、用紙搬送方向下流側に給紙する機能を有する。給紙調整部３００は、給紙部２００と画像形成装置本体１Ａとの間の微小な速度差および寄りを吸収するためのバッファ機能を有する。カット部４００は、所望によりロール紙をカットする場合に使用する。なお、画像形成装置本体１Ａの下流側にカット部を有するものであってもよい。
なお、この実施形態では、連続紙としてロール紙を使用しているが、連続紙がロール紙に限定されるものではなく、用紙が連続しているものであればよく、例えば、連続伝票用紙、連続帳票用紙なども含まれる。連続紙はロール紙の形態で提供されるものでもよく、また、交互に畳まれた形態のものであってもよい。
【００３８】
画像形成装置本体１Ａは、用紙に画像を形成する画像形成部１００を本体内に有しており、画像形成装置本体１Ａ上部側には、操作者の操作を受けるとともに、情報を表示する操作部１４０を有している。操作部１４０は、操作を行う操作部分と表示を行う表示部分とが別体で構成されていてもよく、タッチパネルＬＣＤなどのように操作部分と表示部分とが一体に構成されているものであってもよい。この実施形態では、操作部１４０が本発明の操作部に相当する。操作部は、画像形成装置本体１Ａの筺体に設置されているものの他、画像形成装置本体１Ａの筺体から分離しているものであってもよい。
【００３９】
また、画像形成装置本体１Ａ上には、原稿を自動的に読み込む自動原稿給送装置を含む原稿読み取り部３０を有しており、原稿読み取り部３０によって原稿の画像が読み取られ、一旦、図示しない画像メモリーなどに記録される。読み取られた画像は、画像形成部１００による画像の形成に用いられる。
【００４０】
画像形成部１００では、各色（シアン、マゼンタ、イエロー、ブラックなど）用にそれぞれ用意された感光体を有し、各感光体の周線部に図示しない帯電器、書き込み部および現像ユニットが配設されていている。帯電器によって帯電した感光体表面は、画像メモリーなどに記録された原稿の画像情報に基づいて、ＬＤなどの書き込み部により像露光が行われ、感光体表面には潜像が形成される。潜像は現像ユニットによって現像がなされてトナー像となる。トナー像は、中間転写ベルト１６に転写され、中間転写ベルト１６の画像は、搬送路２２で搬送されて二次転写ローラ１７で圧着されつつ搬送される用紙に転写される。
【００４１】
また、画像形成部１００では、各感光体に対応して、中間転写ベルト１６との接触位置よりも回転方向側かつ帯電器よりも回転方向逆側で、各感光体に接触して残留トナーを除去する図示しないクリーニング部が配置されている。また、中間転写ベルト１６の用紙転写位置よりも回転方向側かつ各感光体との転写位置よりも回転方向逆側に、該中間転写ベルト１６の残留トナーを除去する図示しない他のクリーニング部が配置されている。
なお、上記した各感光体は、図示しない駆動モータによって回転駆動され、中間転写ベルト１６も同じく図示しない駆動モータによって回転駆動される。
【００４２】
画像形成システム１は、給紙部２００から給紙調整部３００、カット部４００、画像形成部１００に至り、さらに画像形成部１００から排紙部２３に至る搬送路２２を有している。
搬送路２２は、用紙を給紙、搬送するものであり、給紙部２００に収容されているロール紙が給紙される。なお、搬送路２２では、画像形成装置本体１Ａの上流側に用紙検知部１４が設置されている。用紙検知部１４は、給紙部２００から給紙された用紙の主走査幅と、用紙の先端・後端を検知する。
搬送路２２で送られる用紙は、レジストローラ１５を経て、二次転写ローラ１７にロール紙が搬送される。また、この実施形態では、シート状の用紙を給紙する給紙トレイ１２を有しており、ロール紙とシート状の用紙とを選択して給紙することができる。
画像が転写された用紙は、定着部１８において、定着ローラで圧着されて搬送されつつ熱と圧力とを加えることにより用紙上のトナー像が定着され、装置外部の排紙部２３に排出される。
また、画像形成装置および画像形成システムを制御する制御ブロック１１０を有している。
【００４３】
次に、図２は、本発明の画像形成装置および画像形成システムの電気的な構成を示すブロック図である。以下に説明する。
画像形成システム１は、主要な構成として、制御ブロック１１０とスキャナー部１３０と操作部１４０とプリンター部１５０とを有するコピア本体と、ＬＡＮを通して外部機器２（例えばＰＣやサーバ）との間で入出力される画像データーを処理する画像処理部（プリント＆スキャナーコントローラー）１６０とを備えている。
【００４４】
制御ブロック１１０はＰＣＩバス１１２を有しており、ＰＣＩバス１１２は制御ブロック１１０内でＤＲＡＭ制御ＩＣ１１１に接続されている。また、制御ブロック１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリー１１５が接続されている。該不揮発メモリー１１５には、上記制御ＣＰＵ１１３を動作させるためのプログラムや画像形成装置の設定データー、プロセス制御パラメーター等などが格納されている。
【００４５】
制御ＣＰＵ１１３は、ＲＡＭやＲＯＭを備え、画像形成システム１の全体を制御し、また画像形成装置全体の状態把握を行うものであり、ロール紙の給紙制御、画像形成制御などを行う。すなわち、制御ＣＰＵ１１３は、本発明の制御部の一部として機能し、制御ＣＰＵ１１３で動作する制御プログラムとともに本発明の制御部を構成する。制御プログラムは、ＲＯＭや不揮発メモリー１１５などに格納されている。なお、この実施形態では、制御ＣＰＵ１１３は、画像形成装置本体１Ａの筺体内に設置されているものとして説明したが、画像形成装置本体１Ａの筺体外に制御ＣＰＵ１１３の一部または全部機能を有するものであってもよい。
【００４６】
前記スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されており、制御ＣＰＵ１１３による制御を受ける。なお、スキャナー制御部１３２は、ＣＰＵやこれを動作させるプログラムなどによって構成することができる。前記ＣＣＤ１３１で読み取った画像データーは、読み取り処理部１１６でデーター処理がなされる。
【００４７】
前記操作部１４０は、タッチパネル式のＬＣＤ１４１と、操作部制御部１４２とを備えており、上記ＬＣＤ１４１と操作部制御部１４２とが接続され、該操作部制御部１４２と前記制御ＣＰＵ１１３とがシリアル通信可能に接続されている。該構成によって操作部１４０の制御が制御ＣＰＵ１１３によって行われる。なお、操作部制御部１４２は、ＣＰＵやこれを動作させるプログラムなどによって構成することができる。操作部１４０では、画像形成装置や画像形成システムにおける設定や動作指令などの動作制御条件の入力が可能となっており、さらに設定内容、機械状態、情報の表示等が可能になっており、上記制御ＣＰＵ１１３により制御される。この操作部１４０によって、所定の操作などを行うことができる。
【００４８】
例えば、操作部１４０では、複数ジョブの面付け処理に際し、面付けを行うか否かを設定でき、さらに、面付けを行う場合、面付けの処理方法の設定を行うことができる。
また、操作部１４０では、印刷に用いる用紙サイズを設定する手段として用いることができる。例えば、ロール紙給紙の場合、操作部１４０の設定内容に従って、制御ＣＰＵ１１３で給紙制御を行うことができ、制御に際しては、ロール給紙制御部２１０によって操作部１４０上で設定された主走査幅の情報を基にロール給紙制御を実施する。なお、副走査幅は結合ジョブ単位で繰り返し出力されるロール紙の幅である。
【００４９】
また、ＤＲＡＭ制御ＩＣ１１１は、圧縮メモリー１２１とページメモリー１２２とからなる画像メモリー（ＤＲＡＭ）１２０に接続されている。該画像メモリー（ＤＲＡＭ）１２０には、前記スキャナー部１３０で取得した画像データーやＬＡＮ３を通して取得した画像データーが格納される。上記のように画像メモリーは、画像データーの記憶領域であり、印刷するジョブの画像データーを格納する。また、上記ＤＲＡＭ制御ＩＣ１１１によって複数のジョブに関する画像データーを画像メモリーに記憶させることができる。すなわち、画像メモリーには予約されたジョブの画像データーの格納も可能である。
また、ＰＣＩ１１２には、ＨＤＤ１２７が接続されている。
【００５０】
ＤＲＡＭ制御ＩＣ１１１には、画像データーを圧縮する圧縮ＩＣ１１８と、圧縮された画像データーを伸長する伸長ＩＣ１２５が接続されている。伸長ＩＣ１２５には書き込み処理部１２６が接続されている。書き込み処理部１２６は、プリンター部１５０のＬＤ１５２に接続され、該ＬＤ１５２の動作に用いられるデーターの処理を行う。また、プリンター部１５０は、プリンター部１５０の全体を制御するプリンター制御部１５１を備えており、該プリンター制御部１５１は、前記した制御ＣＰＵ１１３に接続されて制御を受ける。すなわち、制御ＩＣ１１３から与えられるパラメーターに従い、プリント動作の開始／停止を行う。プリンター部１５０には、前記した画像形成部１００などが含まれており、制御ＣＰＵ１１３によってその動作の制御がなされる。
【００５１】
また、プリンター制御部１５１には、ロール給紙制御部２１０が制御可能に接続されている。ロール給紙制御部２１０は、制御ＣＰＵ１１３の指令に従って、給紙部２００、給紙調整部３００、カット部４００を制御する。ロール給紙制御部２１０は、画像形成装置本体１Ａ内に設置してもよく、また、給紙部２００等の外部の装置に設置してもよい。
【００５２】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリー１６２が接続されている。また、画像処理部（プリント＆スキャナーコントローラー）１６０では、前記ＤＲＡＭ制御ＩＣ１６１にコントローラー制御ＣＰＵ１６３が接続されており、ＤＲＡＭ制御ＩＣ１６１に、ＬＡＮインターフェース１６５が接続されている。ＬＡＮインターフェース１６５は、前記ＬＡＮ３に接続されている。
【００５３】
ＬＡＮ３には、外部機器２が接続されており、外部機器２を含む構成により画像形成システムが構成されるものであってもよい。外部機器２では、面付け処理機能を行う制御部の機能を有するものであってもよく、複数のジョブを受け付けて本発明の面付けを行うようにしてもよい。また、外部機器を含まない画像形成装置または画像形成システムにおいて、外部機器２の面付け処理制御によって画像形成を行うようにしてもよい。この場合、外部機器２は、本発明の画像形成制御装置に相当する。
【００５４】
次に、上記画像形成装置システム１の基本的動作について説明する。
先ず、画像形成装置本体１Ａにおいて画像データーを蓄積する手順について説明する。
スキャナー部１３０で原稿の画像を読み取り、画像データーを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２１に格納される。圧縮メモリー１２１に格納された画像データーは、制御ＣＰＵ１１３によってジョブとして管理することができる。また、画像データーは画像メモリー（ＤＲＡＭ）１２０に格納した後、ＨＤＤ１２７に格納することができる。
印刷条件等は、操作部１４０において設定することができる。例えば、操作部１４０上で設定された印刷条件（プリントモード）等の情報を制御ＣＰＵ１１３に通知し、制御ＣＰＵ１１３で設定情報を作成する。作成された設定情報は制御ＣＰＵ１１３内のＲＡＭに格納される。確認コピー、通常印刷などの指定も操作部１４０で行うことができる。
【００５５】
画像データーを外部から取得する場合、例えば、外部機器２からＬＡＮ３を通して送信される画像データーは、コントローラー制御ＣＰＵ１６３の制御により、ＬＡＮインターフェース１６５を介してＤＲＡＭ制御ＩＣ１６１により画像メモリー１６２に格納される。画像メモリー１６２のデーターは、ＤＲＡＭ制御ＩＣ１６１、ＰＣＩバス１１２、ＤＲＡＭ制御ＩＣ１１１を介してページメモリー１２２に一旦格納される。ページメモリー１２２に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２１に格納され、上記と同様に制御ＣＰＵ１１３による管理がなされる。また、圧縮メモリー１２１に格納された画像データーは、ＤＲＡＭ制御ＩＣ１１１を回してＨＤＤ１２７に格納することができる。
【００５６】
画像形成装置で画像出力を行う場合、すなわち複写機やプリンターとして使用する場合、圧縮メモリー１２１に格納された画像データーを、ＤＲＡＭ制御ＩＣ１１１を介して伸長ＩＣ１２５に送出してデーターを伸長し、伸長したデーターを書き込み処理部１２６に送出し、ＬＤ１５２において各感光体への書き込みを行う。
また、ＨＤＤ１２７に画像データーを格納している場合、ＤＲＡＭ制御ＩＣ１１１を回して一旦圧縮メモリー１２１に格納し、以降、上記と同様の処理を行う。
画像出力を行う場合、前記したように操作部１４０の設定内容に基づいて行うことができるが、外部機器２などから制御内容を受けることができ、例えば外部機器内のプリンタードライバに基づいて印刷条件などの制御内容を受けることができる。印刷条件などは、画像データーと同様にＬＡＮ３、ＬＡＮインターフェース１６５を介してＤＲＡＭ制御ＩＣ１６１により画像メモリー１６２に格納される。画像メモリー１６２のデーターは、ＤＲＡＭ制御ＩＣ１６１、ＰＣＩバス１１２、ＤＲＡＭ制御ＩＣ１１１を介してページメモリー１２２に格納される。
【００５７】
また、プリンター部１５０では、制御ＣＰＵ１１３の指令を受けたプリンター制御部１５１によって各部の制御が行われる。画像形成部１００では各感光体に書き込まれたトナー像が中間転写ベルト１６に転写された後、給紙部２００によって供給されるロール紙に転写され、定着部１８で定着がなされる。画像形成がなされた用紙は、定着搬送ローラを経て搬送路２２によって排紙部２３へと搬送される。複数の予約ジョブがある場合、通常は、上記画像出力が設定順番に従って順次行われる。
また、各感光体では、中間転写ベルト１６にトナー像が転写された後、各クリーニング部によって残留トナーが除去される。また、中間転写ベルト１６においても同様に、用紙にトナー像が転写された後、クリーニング部によって残留トナーが除去される。
【００５８】
（実施形態１）
本実施形態では、以下の面付け処理が可能になっている。
複数ジョブを用いて、複数画像を余白が少なくなるように配置し、それを結合ＪＯＢ単位として白紙領域を削減し、それを結合ＪＯＢ単位とし繰り返し印刷することを可能にする。
制御部は、面付け処理時に、画像データーを読み込み、受信したデーターから結合ジョブ単位を作成し、そのデーターを圧縮メモリーに保存する。さらに、制御部は出力時に圧縮メモリーに記憶された画像をＤＲＡＭ制御ＩＣ、伸長ＩＣにて出力する画像データーを展開し、その展開された画像データーを書き込み処理部にて繰り返しＬＤに展開することで、結合ジョブ単位を繰り返し出力する制御を実現している。
【００５９】
図３は、上記手順の例を示すフローチャートであり、その手順は制御部の制御によって実行される。以下、説明する。
先ず、複数のジョブデーターを受信などにより取得する（ステップｓ１）。取得方法は、本発明としては特に限定されるものではない。
次に、先のジョブとして、最初のジョブデーターの画像を面付け配置する（ステップｓ２）。その際に、主走査方向の端部側に画像を配置する。
次いで、画像配置後の主走査方向における白紙サイズＡ（白紙画像領域）と、後のジョブとして次ジョブの画像の原稿サイズＢを取得する（ステップｓ３）。白紙サイズＡは、用紙における画像形成可能な主走査方向のサイズと、配置した画像の原稿サイズから算出することができる。主走査方向のサイズは、用紙検知部１４の検知結果により取得することができ、原稿サイズは、制御ＣＰＵ１１３において把握することができる。
【００６０】
上記ＡとＢの大小比較により、Ａ＞Ｂかを判定する（ステップｓ４）。Ａ＞Ｂであれば、次ジョブの原稿を白紙画像領域に配置することができる。
Ａ＞Ｂの場合（ステップｓ４、Ｙｅｓ）、次ジョブを主走査方向における白紙画像領域に面付け配置し（ステップｓ５）、面付け完了したジョブを結合ジョブとする（ステップｓ６）。Ａ＞Ｂでない場合（ステップｓ４、Ｎｏ）、面付け完了したジョブを結合ジョブとする（ステップｓ６）。
上記の例では、複数ジョブの面付け配置の例として２つのジョブを受信したときのフローチャートを示している。上記制御フローチャートにより２つのジョブを一つの結合ジョブとして設定し、繰り返し出力することで白紙領域が少なくロール給紙が節約できる出力を実施することができる。
【００６１】
次に、上記手順に沿った画像の配置例を図４に基づいて説明する。
ジョブとしてジョブ１とジョブ２とを用意し、共に１０部ずつの出力指示を受けているものとする。
連続紙にジョブ１の画像データーの面付け配置を実施する（ステップｓ２）。
次にジョブ１配置後の主走査方向における白紙画像領域のサイズが、ジョブ２の原稿サイズより大きいかを比較し、白紙画像領域サイズがジョブ２の原稿サイズより大きい場合は、白紙領域にジョブ２の画像データーの面付け配置を実施する（ステップｓ５）。
ジョブ１とジョブ２の画像面付けされたジョブを一つの結合ジョブ単位として設定し（ステップｓ６）、この結合ジョブ単位で指定された部数だけ繰り返し出力を実施する（ステップｓ７））。
上記記載の制御を実施することで、ジョブ１とジョブ２を単独で出力するときよりも、白紙画像領域が少ない出力を実施することが可能となる。
なお上記で、ジョブ２の原稿サイズは、ジョブ２の主走査サイズ、又は副走査サイズを示しており、どちらを設定するかは制御内容（設定内容や初期設定などにより）によって決定される。
【００６２】
（実施形態２）
なお、上記形態では、二つの画像を主走査方向に配置して面付けするものとしたが、画像の配置後に白紙画像領域が残る場合、さらに他の画像を配置するようにすることができ、これを繰り返してもよい。
図５は、上記手順の例を示すフローチャートであり、該手順は制御部の制御によって実行される。以下、説明する。
【００６３】
先ず、複数のジョブデーターを受信などにより取得する（ステップｓ１０）。取得方法は、本発明としては特に限定されるものではない。
次に、先のジョブとして、最初のジョブデーターの画像を面付け配置する（ステップｓ１１）。次いで、次ジョブが存在するかを判定する（ステップｓ１２）。次ジョブがなければ（ステップｓ１２、Ｎｏ）、面付け完了したジョブを結合ジョブとして処理を終了する。
次ジョブがあれば（ステップｓ１２、Ｙｅｓ）、画像配置後の主走査方向における白紙画像領域の白紙サイズＡと次ジョブの画像の原稿サイズＢとを取得する。白紙サイズＡは、用紙の画像形成可能な主走査方向サイズと、配置した画像の原稿サイズとから算出することができる。画像の原稿サイズは、制御ＣＰＵ１１３において把握ができる。
【００６４】
上記ＡとＢの大小比較により、Ａ＞Ｂかを判定する（ステップｓ１４）。Ａ＞Ｂであれば、次ジョブの原稿を白紙画像領域に配置することができる。
Ａ＞Ｂでない場合（ステップｓ１４、Ｎｏ）、面付け完了したジョブを結合ジョブとし（ステップｓ１６）、手順を終了する。
Ａ＞Ｂの場合（ステップｓ１４、Ｙｅｓ）、次ジョブを主走査方向の白紙画像領域に面付け配置する（ステップｓ１５）。
【００６５】
ステップｓ１５の後、ステップｓ１２に戻り、次ジョブが存在すれば（ステップｓ１２、Ｙｅｓ）、画像配置後の主走査方向における白紙画像領域の白紙サイズＡと、次ジョブの原稿の原稿サイズＢとを取得し（ステップｓ１３）、Ａ＞Ｂかを判定する（ステップｓ１４）。Ａ＞Ｂであれば、次ジョブを主走査方向の白紙領域に面付け配置する。ステップｓ１２−ｓ１５に至る処理を繰り返すことで、全ジョブを対象に面付け処理を行うことができ、白紙画像領域を効果的に削減することができる。
上記形態では、複数ジョブの面付け配置の例として受信した全てのデーターを対象としたフローチャートを示している。上記フローチャートにより各ジョブの面付け完了後の白紙領域に次ジョブの画像面付けが実施できなくなるまで繰り返し画像面付け配置を実施し、配置完了した複数のジョブを一つの結合ジョブとして設定し、繰り返し出力することで白紙領域が少なくロール給紙が節約できる出力を実施することができる。
【００６６】
次に、上記手順に沿った配置例を図６に基づいて説明する。
ジョブとしてジョブ１、ジョブ２、ジョブ３とを用意し、それぞれ１０部ずつの出力指示を受けているものとする。先ず、ロール給紙にジョブ１の画像データーの面付け配置を実施する（ステップｓ１１）。
次に、次ジョブが存在することを確認した後、ジョブ１配置後の主走査方向における白紙領域のサイズが、ジョブ２の原稿サイズより大きいかを比較し、白紙画像領域サイズがジョブ２の原稿サイズより大きい場合は、白紙画像領域にジョブ２の画像データーの面付け配置を実施する（ステップｓ１５）。
【００６７】
さらに、次ジョブが存在することを確認した後、ジョブ２を配置した後の主走査方向における白紙画像領域のサイズが、ジョブ３の原稿サイズより大きいかを比較し、白紙画像領域のサイズがジョブ３の原稿サイズより大きい場合は、白紙画像領域にジョブ３の画像データーの面付け配置を実施する（２回目のステップｓ１５）。
ジョブ１とジョブ２とジョブ３の画像面付けされたジョブを一つの結合ジョブ単位として設定し（ステップｓ１６）、この結合ジョブ単位で指定された部数だけ繰り返し出力を実施する（ステップｓ１７）。
なお、上記では、ジョブ１〜ジョブ３までを配置する例で説明しているが、受信した全てのＪＯＢに対して画像面付け後の白紙画像領域サイズと次ジョブの原稿サイズを比較し、白紙画像領域サイズが後ジョブの原稿サイズより大きい場合は、順次白紙領域に受信したジョブの画像データーの面付け配置を繰り返し実施することが可能である
上記記載の制御を実施することで、各ジョブを単独で出力するときよりも、白紙領域が少ない出力を実施することができる。
【００６８】
（実施形態３）
結合ジョブ面付け配置制御は、出力最初、及び出力中の結合ジョブのいずれかのジョブの出力完了したときに実施することで、画像面付け配置の制御時間を削減することができ副走査方向の間隔を少なくすることができる。
【００６９】
図７は、上記手順の例を示すフローチャートであり、手順は制御部の制御によって実行される。以下、説明する。
【００７０】
先ず、複数のジョブデーターを受信などにより取得する（ステップｓ２０）。取得方法は、本発明としては特に限定されるものではない。
ジョブデーターの取得後、全ての受信ジョブの出力が完了したかを判定する（ステップｓ２１）。全ての受信ジョブの出力が完了していれば（ステップｓ２１、Ｙｅｓ）、手順を終了する。全ての受信ジョブの出力が完了していなければ（ステップｓ２１、Ｎｏ）、実施形態１または実施形態２で示した結合ジョブ作成を実施する（ステップｓ２２）。
次いで、結合ジョブを出力し（ステップｓ２３）、結合ジョブに用いた、いずれかのジョブ出力は完了したかを判定する（ステップｓ２４）。
【００７１】
結合ジョブにおけるいずれかのジョブ出力が完了していなければ（ステップｓ２４、Ｎｏ）、ステップｓ２３に移行し、結合ジョブの出力を継続する。
結合ジョブにおけるいずれかのジョブ出力が完了していれば（ステップｓ２４、Ｙｅｓ）、ステップｓ２０に移行し、上記手順を繰り返す。
この例では、結合ジョブ単位の作成タイミングのフローチャートを示している。受信ジョブを受けた時点で、結合ジョブ単位の再作成は実施せず、結合ジョブのいずれかのジョブ出力が完了したタイミングで受信ジョブデーターを再取得して結合ジョブ単位の作成を実施している。  
【００７２】
次に、上記手順に沿った配置例を図８に基づいて説明する。
この配置例は、最初にジョブ１  ２０部とジョブ２  １０部の受信データーを受けており、最初の結合ジョブ単位作成完了後に、次のジョブ３  １０部の受信データーを受けている例である。新規の受信データーを受ける時期は、図７のフローチャートと異なっているが、受信データーを受ける時期は本発明としては特に限定されるものではない。
【００７３】
実施形態１、２の結合ジョブ単位の作成は、結合ジョブ単位作成のタイミング時に、受信完了している画像データーを対象にして実施（ステップｓ２２）され、結合ジョブ単位にて繰り返し出力が実施される（ステップｓ２３）。この繰り返し出力中に、ジョブ３の受信データーを受けているが、この受信タイミングでジョブ１とジョブ２の結合ジョブをキャンセルして、ジョブ１〜ジョブ３にて再度結合ジョブの作成を実施すると、結合ジョブ作成時間により、ロール給紙の副走査方向に間隔が空いてしまう。このため、このタイミングでは結合ジョブの作成は実施せず、結合ジョブ単位のいずれかのジョブが終了したタイミング（ステップｓ２４、Ｙｅｓ）で、再度の結合ジョブ作成を実施（ステップｓ２２：２回目）し、結合ジョブ単位での繰り返し出力を実施する（ステップｓ２３：２回目）。
この実施形態では、受信データーを取得する毎に、結合ジョブ単位の作成を実施すると副走査方向に間隔が空（す）く回数が増加するため、出力するジョブデーターの排紙が完了したタイミングのみで、結合ジョブ単位の作成を実施することで、副走査方向の間隔が空くのを最小限に防ぐことができる。
【００７４】
（実施形態４）
また、本発明では、画像の原稿サイズの副走査サイズ方向が異なる場合に面付け制御を実施することで白紙領域を削減することができる。
図９は、上記手順の例を示すフローチャートであり、手順は制御部の制御によって実行される。以下、説明する。
【００７５】
先ず、複数のジョブデーターを受信などにより取得する（ステップｓ３０）。取得方法は、本発明としては特に限定されるものではない。
受信したジョブデーターに基づいて実施形態１、２に記載の結合ジョブ作成を実施する（ステップｓ３１）。
次いで、結合するジョブの副走査サイズが異なるかを判定する（ステップｓ３２）。副走査サイズが異ならない場合（ステップｓ３２、Ｎｏ）、面付け完了したジョブを結合ジョブとし（ステップｓ３５）、手順を終了する。
【００７６】
一方、結合するジョブにおける画像の副走査サイズが異なる場合（ステップｓ３２、Ｙｅｓ）、副走査サイズが大きいジョブに対し、副走査サイズが小さいジョブの画像が何個配置できるかを計算する（ステップｓ３３）。
計算された配置可能な個数分だけ、副走査サイズが小さいジョブを副走査方向に並べて面付け配置する（ステップｓ３４）。
その後、面付け完了したジョブを結合ジョブとし（ステップｓ３５）、手順を終了する。
この例では、副走査方向が異なるジョブデーターについて、結合ジョブ単位の作成方法のフローチャートを示している。副走査方向が異なる場合は、小さいジョブの画像データーを副走査方向に並べて配置し、全てのジョブの配置完了した時点の画像面付けデーターを結合ジョブ単位として設定することにより副走査方向が異なるジョブデーターにおいても白紙領域が少ない出力を実現している。
【００７７】
次に、上記手順に沿った配置例を図１０に基づいて説明する。
この例では、副走査方向が異なる副走査サイズが１の２０部と副走査サイズが２の１０部の出力指示を受けているものとする。
最初に実施形態１、２記載の結合ジョブ作成により、ジョブ１の画像配置面付け（ステップｓ３１−１）とジョブ２の画像配置面付け（ステップｓ３１−２）を実施する。
副走査サイズの違いによりジョブ１とジョブ２の画像面付け配置後に、副走査サイズが小さいジョブ（ジョブ１が相当）に対して副走査方向の白紙画像領域が発生する。この白紙画像領域に副走査サイズが小さいジョブが配置可能かを判断し、配置可能な数だけ副走査サイズの小さいジョブを並べて面付け配置する（ステップｓ３４）。この例ではジョブ１が２つ並べられる。
上記のようにして画像配置面付けされたジョブ１の２個とジョブ２の１個を結合ジョブ単位として設定し（ステップｓ３５）、繰り返し出力する（ステップｓ３６）ことで白紙領域が少なくロール給紙が節約できる出力を実施することができる。
【００７８】
（実施形態５）
本発明では、画像データーの回転有無を考慮した画像面付け制御を実施することで白紙画像領域を削減することができる。
図１１は、上記手順の例を示すフローチャートであり、手順は制御部の制御によって実行される。以下、説明する。
【００７９】
先ず、複数のジョブデーターを受信などにより取得する（ステップｓ４０）。取得方法は、本発明としては特に限定されるものではない。
次に、印刷を行う用紙の主走査方向における白紙画像領域の白紙サイズＡと、面付けするジョブにおける画像の長辺サイズＢを取得する（ステップｓ４１）。
次いで、白紙サイズＡと、長辺サイズとが、大小比較により、Ａ＞Ｂかを判定する（ステップｓ４２）。
Ａ＞Ｂの場合（ステップｓ４２、Ｙｅｓ）、ジョブの長辺サイズを連続紙の主走査方向に沿うものとして面付け配置する（ステップｓ４３）。
Ａ＞Ｂでない場合（ステップｓ４２、Ｎｏ）、ジョブの短辺サイズを連続紙の主走査方向に沿うものとして面付け配置する（ステップｓ４４）。 
上記面付け配置においては、必要に応じて画像の回転を実施する。
【００８０】
ステップｓ４３またはステップｓ４４の後、全ての受信ジョブの面付けが完了したかを判定する（ステップｓ４５）。全ての受信ジョブの面付けが完了していれば（ステップｓ４５、Ｙｅｓ）、面付け完了したジョブを結合ジョブとし（ステップｓ４６）、手順を終了する。
全ての受信ジョブの面付けが完了していない場合（ステップｓ４５、Ｎｏ）、ステップｓ４１に移行し、主走査方向の白紙画像領域の白紙サイズＡと、面付けするジョブの長辺サイズＢとを取得し、以降、ステップｓ４２−ｓ４５を繰り返し行う。
この例では、主走査方向の白紙サイズと、画像の面付け配置するジョブの長辺サイズを比較して、ジョブ毎の最適な画像向きでの面付け配置を実施し、結合ジョブ単位として設定することにより白紙領域が少ない出力を実現している。
【００８１】
次に、上記手順に沿った配置例を図１２に基づいて説明する。
この例では、ジョブ１の３部とジョブ２の１２部の出力指示を受けているものとする。
ジョブ１の画像データーの面付け配置を決定するときに、連続紙の主走査方向における白紙画像領域のサイズと、ジョブ１の長辺サイズを比較する。ジョブ１は、連続紙の主走査方向における白紙画像領域のサイズより、ジョブ１の長辺サイズが大きいため、ジョブ１の短辺サイズを主走査方向になるように配置する。ジョブ１の画像データーは短辺サイズが連続紙の主走査方向における白紙画像領域のサイズと一致しているため、画像回転制御を実施せずにそのままの向きで画像データーの面付け配置を実施する（ステップｓ４４）。
【００８２】
ジョブ２の画像データーの面付け配置は、ジョブ１画像データーの面付け配置完了後の主走査方向の白紙画像領域のサイズと、ジョブ２の長辺サイズを比較する。ジョブ２の配置では、主走査方向の白紙画像領域のサイズが、ジョブ２の長辺サイズより大きいため、ジョブ２の長辺サイズを主走査方向に沿うように配置する。ジョブ２の画像データーは長辺サイズが連続紙の主走査方向における白紙画像領域のサイズと一致しているため、９０度の画像回転制御を実施して、画像データーの面付け配置を実施する（ステップｓ４３）。
【００８３】
ジョブ１とジョブ２の配置後の副走査サイズが異なるため、実施形態４に示すように、副走査方向にジョブ２を４個並べて配置したジョブ１の１個とジョブ２の４個の画像データーの面付け配置を一つの結合ジョブ単位として設定し（ステップｓ４６）、この結合ジョブ単位で指定された部数だけ繰り返し出力を実施する（ステップｓ４７）。
上記制御を実施することで、受信したジョブ毎に最適な画像向きの面付け配置が可能となり、白紙領域が少なくロール給紙が節約できる出力を実施することができる。
【００８４】
（実施形態６）
なお、本発明では、画像の面付けを行う際に、用紙の断裁位置を考慮して処理を行うことができる。
図１３は、上記手順の例を示すフローチャートであり、手順は制御部の制御によって実行される。以下、説明する。
先ず、実施形態１、２で示した結合ジョブ作成を実施する（ステップｓ５０）。次いで、結合ジョブを出力し（ステップｓ５１）、結合ジョブのいずれかのジョブ出力は完了したかを判定する（ステップｓ５２）。結合ジョブにおいていずれかのジョブ出力が完了していなければ（ステップｓ５２、Ｎｏ）、ステップｓ５１に移行し、結合ジョブの出力を継続する。
【００８５】
結合ジョブのいずれかのジョブ出力が完了した場合（ステップｓ５２、Ｙｅｓ）、全ての受信ジョブの出力が完了したかを判定する（ステップｓ５３）。全ての受信ジョブの出力が完了していれば（ステップｓ５３、Ｙｅｓ）、手順を終了する。
全ての受信ジョブの出力を完了していない場合（ステップｓ５３、Ｎｏ）、主走査方向の断裁位置を取得する（ステップｓ５４）。断裁位置は、既に配置している画像の配列において、画像が断裁されない位置に設定することができる。次いで、主走査方向における白紙画像領域のサイズ内の面付けブロック数Ａ（画像配置数）を取得する。ブロック数Ａは、主走査方向における断裁位置に応じて定めることができる。例えば、一つの断裁位置が定まれば、ブロック数Ａは２に設定される。面付けブロックは、断裁線を跨がない領域を示すものである。また、最初の面付けブロック数Ｂには１を設定する（ステップｓ５６）。
【００８６】
次いで、主走査方向における面付けブロック数Ｂでの白紙画像領域の白紙サイズＣと、次ジョブの原稿サイズＤを取得する（ステップｓ５７）。
白紙画像領域サイズＣと原稿サイズＤの大小比較をし、白紙サイズＣが次ＪＯＢの原稿サイズＤより大きいか（Ｃ＞Ｄか）を判定する（ステップｓ５８）。
また、Ｃ＞Ｄの場合（ステップｓ５８、Ｙｅｓ）、出力が残っている次ジョブを主走査方向におけるブロック数Ｂの白紙画像領域に面付け配置する（ステップｓ５９）。配置に際して複数の画像を配置できる場合には、複数個を主走査方向に沿って配置する。
次いで、全ての面付けブロックに対して、画像面付け配置が完了したか（Ａ＝Ｂか）を判定する（ステップｓ６０）。
また、Ｃ＞Ｄでない場合（ステップｓ５８、Ｎｏ）、画像面付けを行うことなくＡ＝Ｂかを判定する（ステップｓ６０）。
【００８７】
Ａ＝Ｂの場合（ステップｓ６０、Ｙｅｓ）、全ての面付けブロックに対して、画像面付け配置が完了しており、面付け完了したジョブを結合ジョブとして（ステップｓ６２）、ステップｓ５１に移行して結合ジョブを出力する。
Ａ＝Ｂでない場合（ステップｓ６０、Ｎｏ）、全ての面付けブロックに対し画像面付け配置が完了しておらず、Ｂ＝Ｂ＋１として、次のブロックを対象とする（ステップｓ６１）。その後、ステップｓ５７に移行する。
この例では、実施形態１、２の結合ＪＯＢ作成とその出力を実施し、その後、ステップｓ５２、５３で、実施形態３に示した次の結合単位ＪＯＢ作成のタイミング制御を実施し、ステップｓ５４〜ステップ６２において、詳細制御を行っている。
【００８８】
次の結合ＪＯＢ作成のタイミングにて主走査方向の断裁位置（ステップ５４）と、ジョブ出力が完了した白紙領域内に何個の面付けブロックがあるかを取得する（ステップｓ５５）。面付けブロック数は白紙領域内の断裁位置の数＋１となる。各面付けブロック毎に実施形態１、２の結合ＪＯＢ作成を実施することにより、主走査方向の断裁位置に跨がない画像面付け配置を実施することが可能となる（ステップｓ５６〜ステップｓ６２）。
【００８９】
次に、上記手順に沿った配置例を図１４に基づいて説明する。
この配置例では、ジョブ１の１０部とジョブ２の３０部の出力指示を受けているものとする。
先ず、実施形態１、２記載の画像面付け配置によりジョブ１の１部とジョブ２の１部を一つの結合ジョブ単位として１０回繰り返して出力する（ステップｓ５０−ｓ５３）。
１０部の出力が完了すると残りはジョブ２の２０部となり、再度、実施形態１、２に示した画像面付け配置を実施すると、ジョブ２の２部を一つの結合ジョブ単位として１０回繰り返して出力する。
【００９０】
このときに既に出力されたジョブ１とジョブ２の結合ジョブの断裁位置を考慮せずに実施すると、出力後に主走査方向で断裁を行ったときに、ジョブ２の画像が断裁されてしまう課題が発生する（図１４上図）。この課題を解決するために、この例では、ジョブ２の２部の結合ジョブ単位を作成するときに、断裁位置を考慮した画像の面付け配置を実施する（詳細な手順は図１３のフローチャートに示している）。
上記制御を実施することで、出力した後に主走査断裁を実施された場合でも画像データーが断裁されない出力物を提供することができる。
【００９１】
なお、実施形態１〜６では画像面付けでの結合ジョブ単位の作成方法を個別に説明しているが、これらの実施形態の組み合わせパターンによる画面面付けでの結合ジョブ単位作成も本発明の範囲である。
【００９２】
また、本発明では、画像面付けを行うかの設定や、画像面付けを行う際の制御内容を設定する設定画面を表示して操作入力を可能にすることができる。以下、具体的に説明する。
【００９３】
図１５は、操作部１４０に表示された結合ジョブ作成設定画面１４００を示すものであり、結合ジョブ作成設定画面１４００は制御ＣＰＵ１１３の制御により操作部１４０に操作可能に表示される。
結合ジョブ作成設定画面１４００では、「受信したＪＯＢの結合は実施しない」を選択する釦１４０１、「受信した先頭２つのＪＯＢを対象に結合ＪＯＢを作成する」を選択する釦１４０２、「受信したＪＯＢの全てを対象とした結合ＪＯＢを作成する」を選択する釦１４０３を有している。
釦１４０１を選択すると、ジョブの結合を行わない画像面付け処理が選択される。釦１４０１の選択有無により、複数ジョブによる画像面付けを行うか否かを設定することができる。
釦１４０２は、画像面付けによるジョブの結合数を２つに設定することができる。
また、釦１４０３では、受信したジョブの全てを対象に画像面付けによるジョブ結合を行うことができる。したがって、釦１４０２、１４０３の選択により、結合ジョブの数を設定できる。なお、この例では、２つまたは全部のジョブの結合数を設定できるようにしているが、３以上のジョブについて具体的に数を指定して設定できるようにしてもよい。
【００９４】
釦１４０１−１４０３は、いずれかを押釦して選択することができ、機械設定によるデフォルトでいずれかの釦が選択されている状態とすることができる。釦１４０１−１４０３のいずれかが選択されると、選択釦先端域を反転表示する。選択内容は、ＯＫ釦１４０４の押釦により確定し、キャンセル釦１４０５を押釦すると選択内容がキャンセルされる。
図１４のフローチャートでは、受信したジョブの全てを対象に結合ジョブを作成する制御内容が選択されており、これに対応する表示域１４０３Ａが反転表示されている。
なお、画像面付けを行うかは、他の設定画面で設定するようにしてもよく、画像面付けを行う設定がなされている場合に、結合ジョブ作成設定画面１４００が表示されるようにしてもよい。
排紙するまでの制御時間としては（全ジョブ対象）＞（２つのジョブ対象）＞（ジョブ結合は実施しない、の順番であるが、ユーザーの要望（出力時間、ロール給紙の節約）によって出力方法を切り替えることができる
【００９５】
図１６は、結合ジョブ作成設定画面１４００に応じた画像配置例を示すものである。
（ａ）受信したジョブの結合を、実施しないを選択した場合、各ジョブ単独での画像面付け配置を実施する（図１６の上図）。
（ｂ）受信した先頭２つのジョブを対象に結合ジョブを作成するときは、先頭２つのジョブにて画像面付け配置制御（実施形態１）を実施し、結合ジョブ単位のいずれかのジョブ出力完了毎に画像面付け配置を繰り返して実行する（図１６の中央図）。
（ｃ）受信したジョブの全てを対象として結合ジョブを作成するときは、全てのジョブを対象として画像面付け配置制御（実施形態２）を実施し、結合ジョブ単位のいずれかのジョブ終了完了毎に実施形態２記載の画像面付け配置を繰り返して実行する（図１６の下図）。
ロール給紙の出力の長さは（ａ）＞（ｂ）＞（ｃ）の順となり、受信した全てのジョブを対象として結合ジョブを作成した方が、ロール給紙の節約することが可能となる。
【００９６】
図１７は、画像面付けに際しての他の設定画面を示すものであり、操作部１４０に表示された新規ジョブ作成タイミング設定画面１４１０を示すものである。新規ジョブ作成タイミング設定画面１４１０は、制御ＣＰＵ１１３の制御により操作部１４０に操作可能に表示される。
新規ジョブ作成タイミング設定画面１４１０は、新規受信ＪＯＢの結合ＪＯＢを作成するタイミングを設定する設定画面である。
【００９７】
設定内容として、（ａ）新規のＪＯＢを受信した時点、（ｂ）結合ＪＯＢの中の一つのＪＯＢの終了が完了した時点、（ｃ）結合ＪＯＢの全てのＪＯＢの終了が完了した時点、の３択から選択することが可能であり、それぞれを選択する釦１４１１、１４１２、１４１３が押釦可能に表示されている。
釦１４１１−１４１３は、いずれかを押釦して選択することができ、機械設定によるデフォルトでいずれかの釦が選択されている状態とすることができる。釦１４１１−１４１３のいずれかが選択されると、選択釦先端域を反転表示する。選択内容は、ＯＫ釦１４１４の押釦により確定し、キャンセル釦１４１５を押釦すると選択内容がキャンセルされる。
図１５では、結合ジョブの中の一つのジョブの出力が完了した時点がタイミングとして選択されており、これに対応する表示域１４１２Ａが反転表示されている。
結合ＪＯＢ単位を作成する回数が多いほど、副走査方向の画像間隔が空くことが多くなり、図１７の設定画面では（ａ）＞（ｂ）＞（ｃ）の順番であるが、ユーザーの要望（出力時間、ロール給紙の節約）によって出力方法を切り替えることができる。
【００９８】
図１８は、新規ジョブ作成タイミング設定画面１４１０に応じた画像配置例を示すものである。
（ａ）新規のジョブを受信した時点が選択されている場合、新規なジョブ受信するごとに新規の結合ジョブ単位の作成を実施する（図１８の上図）。
（ｂ）結合ジョブの中の一つのジョブの終了が完了した時点が選択されている場合、一つのジョブの出力完了のタイミング（実施形態３）にて新規の結合ジョブ単位の作成を実施する（図１８の中央図）。
（ｃ）結合ジョブの全てのジョブの終了が完了した時点が選択されている場合、全てのジョブの出力完了のタイミングにて新規の結合ジョブ単位の作成を実施する（図１８の下図）。
この出力物の例では、ロール給紙の出力の長さは、（ｃ）＞（ｂ）＞（ａ）の順となるが、結合ジョブ単位の作成回数が多いと副走査方向の間隔が空く回数が多くなり、（ａ）＞（ｃ）となることもあるため、ユーザーの要望によって切り替えることにより最適なロール給紙の節約を設定することが可能となる。
【００９９】
図１９は、画像面付けに際しての他の設定画面を示すものであり、操作部１４０に表示された副走査サイズジョブ作成設定画面１４２０を示すものである。
副走査サイズジョブ作成設定画面１４２０は、制御ＣＰＵ１１３の制御により操作部１４０に操作可能に表示される。
副走査サイズジョブ作成設定画面１４２０では、異なる副走査サイズでの画像面付け配置の結合ＪＯＢの作成方法を設定する画面である。
【０１００】
副走査サイズジョブ作成設定画面１４２０は、（ａ）副走査の空き領域への画像面付け配置を実施する、（ｂ）副走査方向の空き領域への画像面付け配置は実施しない、の２択から選択することが可能であり、それぞれを選択する釦１４２１、１４２２が押釦可能に表示されている。（ａ）に対応する釦１４２１が選択された場合は、実施形態４記載の結合ジョブ単位作成の制御を実施し、（ｂ）に対応する釦１４２２が選択された場合は実施形態１、２記載の結合ジョブ単位作成の制御を実施する。
選択内容は、ＯＫ釦１４２３の押釦により確定し、キャンセル釦１４２４の押釦によりキャンセルされる。釦１４２１または釦１４２２が選択されると、釦が反転表示される。図１９では、「副走査方向の空き領域への画像面付け配置は実施しない」が選択されて釦１４２２が反転表示されている。
副走査の空き領域への画像面付け配置を実施する選択の方が、白紙領域が少なくなりロール給紙の節約することは可能であるが、ユーザーの要望（出力後の紙断裁、出力時間、ロール給紙の節約）によって出力方法を切り替えることができる。
【０１０１】
図２０は、副走査サイズジョブ作成設定画面１４２０に応じた画像配置例を示すものである。
（ａ）副走査の空き領域への画像面付け配置を実施する場合は、実施形態４記載の結合ジョブ単位の作成を実施する（図２０の上図）。
（ｂ）副走査方向の空き領域への画像面付け配置は実施しない場合は、実施形態１、２記載の結合ジョブ単位の作成を実施する（図２０の下図）。
白紙領域が少ないほどロール給紙を節約することは可能であるが、出力後の断裁回数を考慮するロール給紙を節約した方が多くなることがあるため、ユーザーの要望によって切り替えることにより最適なロール給紙の出力を設定することができる可能となる。
本実施形態によれば、複数ＪＯＢ受信中のロール給紙排紙処理での画像面付け制御において、ロール給紙の副走査幅に間隔が空かない出力物を提供することが可能となる。
【０１０２】
図２１は、画像面付けに際しての他の設定画面を示すものであり、操作部１４０に表示された画像回転設定画面１４３０を示すものである。画像回転設定画面１４３０は、制御ＣＰＵ１１３の制御により操作部１４０に操作可能に表示される。
画像回転設定画面１４３０は、画像面付け配置の結合ＪＯＢ作成時の画像回転制御有無を設定する画面である。
【０１０３】
画像回転設定画面１４３０では、（ａ）画像回転制御を実施して画像面付け配置を実施する、（ｂ）受信したデーターの画像向けで画像面付け配置を実施する、の２択から選択することが可能である。それぞれを選択する釦１４３１、１４３２が押釦可能に表示されている。（ａ）が選択された場合は、実施形態５記載の結合ジョブ単位作成の制御を実施し、（ｂ）が選択された場合は、受信したデーターの画像向きのまま画像面付け配置の結合ジョブ単位作成を実施する。
選択内容は、ＯＫ釦１４３３の押釦により確定し、キャンセル釦１４３４の押釦によりキャンセルされる。釦１４３１または釦１４３２が選択されると、釦が反転表示される。
図では、「画像回転制御を実施して画像面付け配置を実施する」が選択されて釦１４３１が反転表示されている。
画像回転制御を実施して画像面付け配置を実施する場合の方が、白紙領域が少ない最適な画像面付け制御を実施することが可能であるが、ユーザーの要望（出力物の画像向き、出力時間、ロール給紙の節約）によって出力方法を切り替えることができる。
【０１０４】
図２２は、画像回転設定画面１４３０に応じた画像配置例を示すものである。
（ａ）画像回転制御を実施して画像面付け制御を実施する場合は、実施形態５記載の結合ジョブ単位の作成を実施する（図２２の上図）。
（ｂ）受信したデーターの画像向けで画像面付け配置を実施する場合は、受信データーの画像向きで結合ジョブ単位の作成を実施する（図２２下図）。
画像回転制御を実施して画像面付け制御を実施する選択時の方が、ロール給紙の節約することが可能であるが、画像回転設定画面１４３０などを持つことにより、画像出力の向きを一定方向に揃えて出力することが可能となりユーザーの要望により切り替えて出力することが可能となる。
【０１０５】
図２３は、画像面付けに際しての他の設定画面を示すものであり、操作部１４０に表示された主走査方向断裁面付け設定画面１４４０を示すものである。主走査方向断裁面付け設定画面１４４０は、制御ＣＰＵ１１３の制御により操作部１４０に操作可能に表示される。
主走査方向断裁面付け設定画面１４４０は、主走査方向の断裁位置による画像面付け制御を設定する画面である。
【０１０６】
主走査方向断裁面付け設定画面１４４０では、（ａ）主走査方向の断裁位置を考慮して次ジョブの画像面付けを配置する、（ｂ）主走査方向の断裁位置を考慮せずに次ジョブの画像面付け配置する、の２択から選択することが可能である。それぞれを選択する釦１４４１、１４４２が押釦可能に表示されている。（ａ）が選択された場合は実施形態６記載の結合ジョブ単位作成の制御手段を実施し、（ｂ）が選択された場合は実施形態１、２記載の結合ジョブ単位作成の制御手段を実施する。
選択内容は、ＯＫ釦１４４３の押釦により確定し、キャンセル釦１４４４の押釦によりキャンセルされる。釦１４４１または釦１４４２が選択されると、釦が反転表示される。
図では、「主走査方向の断裁位置を考慮して次ジョブの画像面付けを配置する」が選択されて釦１４４１が反転表示されている。
主走査方向の断裁位置を考慮して次ＪＯＢの画像面付けを配置する場合の方が、ロール給紙出力後の断裁回数は少なくすることが可能であるが、ユーザーの要望（出力後の断裁方法、出力時間、ロール給紙の節約）によって出力方法を切り替えることができる。
【０１０７】
図２４は、主走査方向断裁面付け設定画面１４４０に応じた画像配置例を示すものである。
主走査方向断裁面付け設定画面１４４０では、（ａ）主走査方向の断裁位置を考慮して次ジョブの画像面付けを配置する場合は、結合ジョブ単位のいずれかのジョブ出力が完了した時点で実施形態６記載の結合ジョブ単位の作成を実施する（図２４の上図）。
（ｂ）主走査方向の断裁位置を考慮せずに次ジョブの画像面付け配置する場合は、結合ジョブ単位のいずれかのジョブ出力が完了した時点で実施形態１、２記載の結合ジョブ単位の作成を実施する（図２４下図）。
主走査方向の断裁位置を考慮して次ＪＯＢの画像面付けを配置する選択時の方がロール給紙の節約することが可能であるが、出力後の断裁方法により断裁位置を考慮せずに画像面付け配置した方が、作業時間が少なくなる場合があるのでユーザーの要望によって切り替えることにより最適な断裁方法を提供することが可能となる。
本実施形態によれば、連続紙の排紙後の断裁作業において、断裁作業を実施しても画像データーが切断されない出力物を提供することが可能となる。
なお、この実施形態では、主走査方向における断裁位置を考慮して画像面付けを行ったが、副走査方向における断裁位置を有する場合、これを考慮した画像面付けを行うことも可能である。
【０１０８】
以上、本発明について上記実施形態に基づいて説明を行ったが、本発明の範囲を逸脱しない限りは当然に適宜の変更が可能である。
【符号の説明】
【０１０９】
１  画像形成装置
２  端末（ＰＣ）
３  ＬＡＮ
２２  搬送路
２３  排紙部
３０  原稿読み取り部
１００  画像形成部
１１３  制御ＣＰＵ
１１５  不揮発メモリー
１２０  画像メモリー（ＤＲＡＭ）
１２１  圧縮メモリー
１２２  ページメモリー
１２７  ＨＤＤ
１４０  操作部
１４１  ＬＣＤ
１５０  プリンター部
２００  給紙部
３００  給紙調整部
４００  カット部
１４００  結合ジョブ作成設定画面
１４１０  新規ジョブ作成タイミング設定画面
１４２０  副走査サイズジョブ作成設定画面
１４３０  画像回転設定画面
１４４０  主走査方向断裁面付け設定画面
【図１】
0006435780.tif 000002
【図２】
0006435780.tif 000003
【図３】
0006435780.tif 000004
【図４】
0006435780.tif 000005
【図５】
0006435780.tif 000006
【図６】
0006435780.tif 000007
【図７】
0006435780.tif 000008
【図８】
0006435780.tif 000009
【図９】
0006435780.tif 000010
【図１０】
0006435780.tif 000011
【図１１】
0006435780.tif 000012
【図１２】
0006435780.tif 000013
【図１３】
0006435780.tif 000014
【図１４】
0006435780.tif 000015
【図１５】
0006435780.tif 000016
【図１６】
0006435780.tif 000017
【図１７】
0006435780.tif 000018
【図１８】
0006435780.tif 000019
【図１９】
0006435780.tif 000020
【図２０】
0006435780.tif 000021
【図２１】
0006435780.tif 000022
【図２２】
0006435780.tif 000023
【図２３】
0006435780.tif 000024
【図２４】
0006435780.tif 000025
【図２５】
0006435780.tif 000026
【図２６】
0006435780.tif 000027
【図２７】
0006435780.tif 000028
【図２８】
0006435780.tif 000029
【図２９】
0006435780.tif 000030
【図３０】
0006435780.tif 000031
【図３１】
0006435780.tif 000032